(57)【特許請求の範囲】
【請求項１】
ミラーと、
上記ミラーが取り付けられるミラーホルダーと、
上記ミラーホルダーが取り付けられるハウジングと、
上記ハウジングを支持するとともに、車両の固定面に固定されるステーとを備えた車両用ルームミラーにおいて、
上記ミラーの車両前面の周縁部は銀色であり、
上記ミラーにおける車両前面の銀色の部分は、車両前方から視認可能となるように上記ハウジングの外方へ突出しており、
上記ミラーホルダーは、上記ミラーにおける車両前面の銀色の部分を含む周縁部を囲むように形成された外郭部を備えるとともに、少なくとも該外郭部が透明樹脂材で構成されていることを特徴とする車両用ルームミラー。
【請求項２】
請求項１に記載の車両用ルームミラーにおいて、
上記ハウジングには、上記ミラーホルダー側へ向けて突出し、該ミラーホルダーに係合する係合爪部が設けられていることを特徴とする車両用ルームミラー。
【請求項３】
請求項２に記載の車両用ルームミラーにおいて、
上記ミラーホルダーは、上記ミラーの裏面が貼り付けられて固定されるミラー固定板部を備え、
上記ミラー固定板部には、上記ハウジング内方へ窪む凹部が形成され、該凹部の底部には、上記係合爪部の先端側が挿入された状態で係合する開口部が形成されていることを特徴とする車両用ルームミラー。
【発明の詳細な説明】
【技術分野】
【０００１】
本発明は、例えば車両のフロントガラス内面等の固定面に取り付けられる車両用ルームミラーに関する。
【背景技術】
【０００２】
従来より、車両用ルームミラーは、車両のフロントガラス内面に対して固定されるステーと、ステーの先端部に取り付けられるハウジングとを備えており、ハウジングにミラーが取り付けられるようになっている（例えば、特許文献１参照）。特許文献１の車両用ルームミラーは、ミラーの周縁部がハウジングの周縁部よりも外方へ突出している。
【先行技術文献】
【特許文献】
【０００３】
【特許文献１】特開２００６−１４２７２号公報
【発明の概要】
【発明が解決しようとする課題】
【０００４】
ところで、例えば車両が急停車等した場合を想定すると、乗員が前方へ移動してルームミラーに当たること考えられる。この場合に乗員を保護する必要があることから、特許文献１のようにミラーの周縁部をハウジングの周縁部よりも外方へ突出させた構造ではミラーの周縁部に例えば樹脂製の枠を設けてミラーの周縁部が乗員に直接接触しないようにする必要がある。
【０００５】
また、近年、車両のインテリアのデザインが重要視されてきている。デザイン性を高める手法としては、例えば銀色の縁取りを各部に施したり、部分的に透明感を与えたりする方法があり、デザイン性に関しては車両用ルームミラーにおいてもインテリアの一部を構成することから重要になってきている。
【０００６】
ところが、車両用ルームミラーの場合、上述のようにミラーの周縁部を覆う構造を採用すると、一般的に黒色であるハウジングの色がミラーの周縁部を囲むように存在することになるので、デザイン性が良好とはいえない。また、車両用ルームミラーに磨き加工を施すことによってデザイン性を向上させることが考えられるが、磨き加工には工数がかかり、コストの高騰を招く。
【０００７】
本発明は、かかる点に鑑みてなされたものであり、その目的とするところは、安全性の高い車両用ルームミラーのデザイン性を低コストで向上させることにある。
【課題を解決するための手段】
【０００８】
上記目的を達成するために、本発明では、ミラーの周縁部を囲む透明樹脂材からなる外郭部を備えたミラーホルダーを設けた。
【０００９】
第１の発明は、
ミラーと、
上記ミラーが取り付けられるミラーホルダーと、
上記ミラーホルダーが取り付けられるハウジングと、
上記ハウジングを支持するとともに、車両の固定面に固定されるステーとを備えた車両用ルームミラーにおいて、
上記ミラーの車両前面の周縁部は銀色であり、
上記ミラーにおける車両前面の銀色の部分は、車両前方から視認可能となるように上記ハウジングの外方へ突出しており、
上記ミラーホルダーは、上記ミラーにおける車両前面の銀色の部分を含む周縁部を囲むように形成された外郭部を備えるとともに、少なくとも該外郭部が透明樹脂材で構成されていることを特徴とする。
【００１０】
この構成によれば、ミラーをミラーホルダーに取り付けた状態で、透明な外郭部がミラーの周縁部を囲むように配置されるので、磨き加工を施さなくても、ミラーの周縁部に黒色の縁がなくなってフレームレスのようなデザインになるとともに、ミラーの外形状をぼかすことができ、シンプルなインテリアとすることが可能になる。また、ミラーの周縁部が樹脂材によって囲まれるので、乗員の保護性能が十分に確保される。
【００１１】
第２の発明は、第１の発明において、
上記ミラーの周縁部は、上記ハウジングの外方へ突出していることを特徴とする。
【００１２】
この構成によれば、車両用ルームミラーをミラーの反射面とは反対側の車両前側から見ると、ミラーが銀色であるため、銀色の部材を別途設けることなく、ハウジングの外方に銀色の細い枠が見える。また、ハウジングの外形状がミラーの外形状よりも小さくて済むので、ハウジングを小型化することが可能になる。
【００１３】
第３の発明は、第１または２の発明において、
上記ハウジングには、上記ミラーホルダー側へ向けて突出し、該ミラーホルダーに係合する係合爪部が設けられていることを特徴とする。
【００１４】
この構成によれば、ハウジングの係合爪部をミラーホルダーに係合させることでミラーホルダーがハウジングに取り付けられる。これにより、ミラーホルダーをハウジングに取り付けるにあたって特別な接着面等を設けずに済むので、ハウジングのデザイン自由度を向上させることが可能になる。
【００１５】
第４の発明は、第３の発明において、
上記ミラーホルダーは、上記ミラーの裏面が貼り付けられて固定されるミラー固定板部を備え、
上記ミラー固定板部には、上記ハウジング内方へ窪む凹部が形成され、該凹部の底部には、上記係合爪部の先端側が挿入された状態で係合する開口部が形成されていることを特徴とする。
【００１６】
この構成によれば、ミラー固定板部の凹部の底部に形成した開口部にハウジングの係合爪部が係合するので、ミラーの裏面をミラー固定板部に貼り付ける際に係合爪部がミラーに干渉することはない。
【発明の効果】
【００１７】
第１の発明によれば、ミラーの周縁部を囲むように形成された外郭部を透明樹脂材で構成したので、安全性を高めることができるとともに、低コストでデザイン性を向上させることができる。
【００１８】
第２の発明によれば、ミラーの周縁部がハウジングの外方へ突出しているので、銀色の部材を別途設けることなく、ミラーの周縁部を利用してハウジングの外方に銀色の細い枠を形成することができ、デザイン性をより一層向上させることができる。
【００１９】
第３の発明によれば、ハウジングの係合爪部をミラーホルダーに係合させることによってミラーホルダーをハウジングに取り付けるようにしたので、ハウジングのデザイン自由度を向上させることができる。
【００２０】
第４の発明によれば、ミラー固定板部にハウジング内方へ窪む凹部を形成し、該凹部の底部にハウジングの係合爪部が係合する開口部を形成したので、ミラーの裏面をミラー固定板部に貼り付ける際に係合爪部がミラーに干渉するのを回避することができる。
【図面の簡単な説明】
【００２１】
【図１】実施形態に係る車両用ルームミラーを後側から見た図である。
【図２】実施形態に係る車両用ルームミラーを前側から見た図である。
【図３】実施形態に係る車両用ルームミラーの分解斜視図である。
【図４】図１におけるIV−IV線断面図である。
【図５】図１におけるV−V線断面図である。
【図６】ステーの基端部の拡大斜視図である。
【図７】ベースに取り付けられたステーの基端部の拡大平面図である。
【図８】図７におけるVIII−VIII線断面図である。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
図１及び図２は、本発明の実施形態に係る車両用ルームミラー１をそれぞれ車両後側及び前側から見た図である。車両用ルームミラー１は、図４に示すように車両のフロントガラスＧの内面（固定面）Ｇ１に取り付けられ、運転席の乗員が後方を視認するのに使用される。車両用ルームミラー１は、フロントガラスＧの固定面Ｇ１の上部において左右方向の中央部に位置している。
【００２４】
尚、この実施形態の説明では、車両前側を単に「前」といい、車両後側を単に「後」といい、車両左側を単に「左」といい、車両右側を単に「右」というものとする。
【００２５】
車両用ルームミラー１は、図３に示すように、フロントガラスＧの固定面Ｇ１に固定される板状のベース２と、ミラー３と、ミラー３を保持するミラーホルダー１０と、ミラーホルダー１０が取り付けられるハウジング２０と、ミラー３を、ミラーホルダー１０及びハウジング２０を介して支持するステー３０とを備えている。
【００２６】
ベース２は、例えば金属等の硬質材料からなるものであり、例えば接着材等を使用してフロントガラスＧの固定面Ｇ１に強固に固定される。ベース２の固定面Ｇ１に対する固定強度は、後述する車両の急停車時や衝突時に所定の外力がミラー３やミラーホルダー１０、ステー３０等に作用してもベース２が固定面Ｇ１から脱落しないように設定されている。
【００２７】
図７に示すように、ベース２は、左右方向（幅方向）の寸法よりも前後方向の寸法が長く設定されている。ベース２の前縁部は、左右方向に直線状に延び、かつ、図４に示すようにフロントガラスＧの固定面Ｇ１に対して垂直に延びる前側垂直面２ａで構成されている。ベース２の左右両縁部（幅方向両縁部）は、それぞれ前後方向に直線状に延びる左側平坦面２ｂ及び右側平坦面２ｃで構成されている。図８に示すように、左側平坦面２ｂは、フロントガラスＧの固定面Ｇ１に近づくほど右に位置するように傾斜し、また、右側平坦面２ｃは、フロントガラスＧの固定面Ｇ１に近づくほど左に位置するように傾斜している。つまり、左側平坦面２ｂ及び右側平坦面２ｃは、フロントガラスＧの固定面Ｇ１に近づくほど互いに接近するように傾斜しているので、ベース２の左右方向の寸法は、フロントガラスＧの固定面Ｇ１に近づくほど短くなる。ベース２の固定状態において、左側平坦面２ｂと固定面Ｇ１とのなす角度と、右側平坦面２ｃと固定面Ｇ１とのなす角度とは同じ角度である。
【００２８】
図４に示すように、ベース２の後縁部は、フロントガラスＧの固定面Ｇ１に対して垂直に延びる後側垂直面２ｄで構成されている。図７に示すように、後側垂直面２ｄの左右両側は、前方へ湾曲しながら延び、左側平坦面２ｂ及び右側平坦面２ｃに連なっている。後側垂直面２ｄの左右方向中間部は直線状に延びており、前側垂直面２ａと略平行である。
【００２９】
図１や図３に示すように、ミラー３はガラス製で左右方向に長い形状であり、両面テープ４によってミラーホルダー１０に貼り付けられている。ミラー３の鏡面は、従来周知の方法、例えばスパッタリング等によって形成することが可能である。
【００３０】
ミラーホルダー１０は、全体としてミラー３の外形よりも大きな板状部材で構成されている。ミラーホルダー１０は、ミラー３が両面テープ４によって貼り付けられて固定されるミラー固定板部１１と、ミラー固定板部１１の周縁部から後方へ突出して周方向に延びる外郭部１２とを備えており、ミラー固定板部１１及び外郭部１２は無色透明な樹脂材によって射出成形法を用いて一体成形されている。尚、ミラーホルダー１０の外郭部１２のみを無色透明な樹脂材で構成してもよい。また、ミラー固定板部１１の左右方向の寸法は、両面テープ４の左右方向の寸法よりも長く設定されている。ミラー固定板部１１の後面の左右方向中央部に両面テープ４が貼り付けられる。
【００３１】
図３に示すように、ミラー固定板部１１の左右両側には、それぞれ前方（ハウジング２０内方）へ窪む上側凹部１３と下側凹部１４とが上下方向に間隔をあけて形成されている。図５に示すように、上側凹部１３及び下側凹部１４の底部には、それぞれ前後方向に貫通する開口部１３ａ、１４ａが形成されている。図３に示すように、ミラー固定板部１１の左右両側には、それぞれ貫通孔１５が形成されている。左側の貫通孔１５は、左側の上側凹部１３及び下側凹部１４から左側へ離れて配置され、右側の貫通孔１５は、右側の上側凹部１３及び下側凹部１４から右側へ離れて配置されている。
【００３２】
図４及び図５に示すように、ミラー固定板部１１の前面には、ハウジング２０の開放側の縁部が嵌合する溝１６が形成されている。溝１６は、ミラー固定板部１１の周縁部に沿うように環状に延びている。ミラー固定板部１１の前面において溝１６よりも内側には、溝１６に沿って延びる突条部１７が形成されている。突条部１７は、ハウジング２０の開放側の内面に接触する。
【００３３】
ミラーホルダー１０の外郭部１２はミラー３の周縁部を囲むように延びている。外郭部１２の内周面にミラー３の周縁部が接触してミラー３が外郭部１２によって位置決めされる。また、外郭部１２の突出方向先端面１２ａは、外郭部１２の内周面側から外周面側へ向かって外郭部１２の基端側に位置するように湾曲した湾曲面で構成されている。これにより、ミラーホルダー１０の周縁部に角が無くなるので乗員の安全性が高まる。
【００３４】
また、ミラー３の周縁部を無色透明な樹脂材からなる外郭部１２によって囲むことで、ミラー３の周縁部に黒色の縁がなくなってフレームレスのような意匠になるとともに、ミラー３の外形状をぼかすことができ、シンプルなインテリアにすることができる。尚、外郭部１２は着色された透明な樹脂材で構成してもよい。
【００３５】
ハウジング２０は、例えば黒色等に着色された樹脂材を成形してなるものであり、ミラーホルダー１０の形状に対応して左右方向に長い形状とされ、前方へ膨らむように形成されている。ハウジング２０の後側は全体が開放している。ハウジング２０の開放側の外形状は、ミラー３の外形状よりも小さく設定されており、ハウジング２０にミラー３を取り付けた状態では、ミラー３の周縁部が、ハウジング２０の開放側の端部からハウジング２０の外方に突出するように位置している。したがって、車両用ルームミラー１を前方から見たときには、ミラー３が銀色であるため、銀色の部材を別途設けることなく、縁取りを設けることができ、ハウジング２０の外方に銀色の細い枠が見える。また、ハウジング２０の外形状をミラー３の外形状よりも小さくしたことで、ハウジング２０を小型化することが可能になる。
【００３６】
図３に示すように、ハウジング２０の内面の左右両側には、それぞれ上側係合爪部２１及び下側係合爪部２２が上下方向に間隔をあけて後方（ミラーホルダー１０側）へ突出するように形成されている。上側係合爪部２１及び下側係合爪部２２の形成位置は、ミラーホルダー１０の上側凹部１３及び下側凹部１４の形成位置と対応している。そして、上側係合爪部２１の先端側はミラーホルダー１０の上側凹部１３の開口部１３ａに前側から挿入され、挿入後、上側凹部１３内で開口部１３ａの周縁部に対して後側から係合するようになっている。また、下側係合爪部２２の先端側はミラーホルダー１０の下側凹部１４の開口部１４ａに前側から挿入され、挿入後、下側凹部１４内で開口部１４ａの周縁部に対して後側から係合するようになっている。このようにミラーホルダー１０を上側係合爪部２１及び下側係合爪部２２によってハウジング２０に取り付けるようにしたので、ハウジング２０に特別な接着面等を設けずに済み、これにより、ハウジングのデザイン自由度を向上させることが可能になる。
【００３７】
ハウジング２０は、ピボット軸２３と、傾動部材２４と、レバー２５とを備えている。ハウジング２０の内面の下部には、レバー２５の回動軸２５ａを回動可能に支持する支持凹部２６が形成されている。また、ハウジング２０の下部において左右方向中央部には、レバー２５の操作部２５ｂが挿通するレバー挿通孔２０ａが形成されている。さらに、ハウジング２０の左右方向中央部には、レバー挿通孔２０ａの上方に円形開口部２０ｂが形成されている。
【００３８】
ピボット軸２３は、略前後方向に延びる固定軸部２３ａと、固定軸部２３ａの後端部に設けられた大径部２３ｂとを備えており、固定軸部２３ａと大径部２３ｂは樹脂材により一体成形されている。固定軸部２３ａは前端から後端に亘って中空状であり、固定軸部２３ａの周壁部の一部には、係合凸部２３ｃが該固定軸部２３ａの径方向に変位可能に形成されている。また、大径部２３ｂの外面は、球面で構成されている。
【００３９】
傾動部材２４は、ハウジング２０の内部に収容された状態でその後側がミラーホルダー１０の前面に固定されており、ミラー３の角度調整時には、ミラーホルダー１０と一体に傾動する。傾動部材２４も樹脂製である。傾動部材２４の中央部には、前後方向に延びる内筒部２４ａが形成されている。内筒部２４ａは、前後両端が開放されている。図４に示すように、内筒部２４ａの内周面における前部は、ピボット軸２３の大径部２３ｂの球面に沿う湾曲面２４ｂで構成されている。
【００４０】
傾動部材２４には、内筒部２４ａを囲む外筒部２４ｃが形成されており、外筒部２４ｃも前後両端が開放されている。外筒部２４ｃと内筒部２４ａとは同心上に位置している。外筒部２４ｃの前端部は、内筒部２４ａの前端部よりも前方まで延びている。外筒部２４ｃの前端部には、ステー３０の湾曲板部３３の内面に摺接する摺接面２４ｄが設けられている。摺接面２４ｄは、外筒部２４の周方向全周に亘って延びている。
【００４１】
ステー３０は、ベース２に取り付けられる基端部に設けられた取付部３１と、取付部３１から下方、かつ、後方へ湾曲しながら延びる本体部３２と、本体部３２の後端部に設けられた湾曲板部３３とを備えており、取付部３１、本体部３２及び湾曲板部３３は例えば黒色等に着色された樹脂材からなる。取付部３１には、ベース２が収容されるベース収容凹部３４が形成されている。ベース収容凹部３４は上方及び前方に開放しており、ベース２がその後から前に向かう方向、即ち、ベース２の左右方向である幅方向と交差する方向に挿入される。
【００４２】
図７に示すように、ベース収容凹部３４を形成する左側壁部３４ａ及び右側壁部３４ｂは前後方向に延びている。ベース収容凹部３４を形成する後壁部３４ｃは、左右方向に延びており、その左右両側は前方へ湾曲して左側壁部３４ａ及び右側壁部３４ｂと連続している。後壁部３４ｃは、ベース２の後側垂直面２ｄに沿うように形成され、ベース２の挿入方向先端側である後側垂直面２ｄに当接して該ベース２の挿入を停止させるためのストッパーに相当する部位である。
【００４３】
図６にも示すように、左側壁部３４ａの上縁部には、ベース２の左側（幅方向一側）の縁部に係合して所定以上の外力が作用した場合に破損する左側前部係合爪（第１係合爪）３５及び左側後部係合爪（第２係合爪）３６が互いに前後方向に間隔をあけて一体成形されている。左側前部係合爪３５は左側壁部３４ａの前端部から後方に離れて配置されている。左側後部係合爪３６は、左側壁部３４ａにおける後壁部３４ｃとの境界部分近傍に配置されている。
【００４４】
左側前部係合爪３５及び左側後部係合爪３６は、左側壁部３４ａの上縁部から右側へ突出している。左側前部係合爪３５及び左側後部係合爪３６の左側壁部３４ａからの突出量は略同じに設定されている。
【００４５】
また、右側壁部３４ｂの上縁部には、ベース２の右側（幅方向他側）の縁部に係合して所定以上の外力が作用した場合に破損する右側前部係合爪（第３係合爪）３７及び右側後部係合爪（第４係合爪）３８が互いに前後方向に間隔をあけて一体成形されている。右側前部係合爪３７は右側壁部３４ｂの前端部から後方に離れて配置されている。右側後部係合爪３８は、右側壁部３４ｂにおける後壁部３４ｃとの境界部分近傍に配置されている。
【００４６】
右側前部係合爪３７及び右側後部係合爪３８は、右側壁部３４ｂの上縁部から左側へ突出しており、左側前部係合爪３５と右側前部係合爪３７とが対向し、左側後部係合爪３６と右側後部係合爪３８とが対向している。左側前部係合爪３５及び左側後部係合爪３６の
左側壁部３４ａからの突出量と、右側前部係合爪３７及び右側後部係合爪３８の右側壁部３４ｂからの突出量は全て略同じに設定されている。
【００４７】
また、左側前部係合爪３５及び左側後部係合爪３６の間隔と、右側前部係合爪３７及び右側後部係合爪３８の間隔とは略等しく設定されている。また、左側前部係合爪３５及び右側前部係合爪３７の間隔と、左側後部係合爪３６及び右側後部係合爪３８は略等しく設定されている。
【００４８】
図６や図８に示すように、左側後部係合爪３６の突出方向先端面は、ベース２の左側平坦面２ｂに沿うように形成されて該左側平坦面２ｂに接触して係合する係合面３６ａとされている。また、左側前部係合爪３５の突出方向先端面は、ベース２の左側平坦面２ｂに沿うように形成されて該左側平坦面２ｂに接触して係合する係合面３５ａとされている。また、右側後部係合爪３８の突出方向先端面は、ベース２の右側平坦面２ｃに沿うように形成されて該右側平坦面２ｃに接触して係合する係合面３８ａとされている。また、右側前部係合爪３７の突出方向先端面は、ベース２の右側平坦面２ｃに沿うように形成されて該右側平坦面２ｃに接触して係合する係合面３７ａとされている。したがって、図８に示すように、係合面３６ａと係合面３８ａとは、フロントガラスＧの固定面Ｇ１に近づくほど互いに接近するように傾斜し、また、係合面３５ａと係合面３７ａもフロントガラスＧの固定面Ｇ１に近づくほど互いに接近するように傾斜する。
【００４９】
ベース収容凹部３４には、上方へ突出する左側突条部４０及び右側突条部４１が設けられている。左側突条部４０及び右側突条部４１は、左右方向に間隔をあけて配置されている。また、左側突条部４０は、左側壁部３４ａから右に離れて配置され、右側突条部４１は、右側壁部３４ｂから左に離れて配置されている。
【００５０】
左側突条部４０及び右側突条部４１は、ベース収容凹部３４の前端部から左側後部係合爪３６及び右側後部係合爪３８の形成部位まで延びる板状をなしている。左側突条部４０の後側は左側へ屈曲し、また、右側突条部４１の後側は右側へ屈曲している。左側突条部４０の前側には、前端へ行くほど下に位置するように傾斜した傾斜面４０ａが形成されている。右側突条部４１の前側には、前端へ行くほど下に位置するように傾斜した傾斜面４１ａが形成されている。左側突条部４０及び右側突条部４１は、ベース２におけるフロントガラスＧの固定面Ｇ１側とは反対側の面に当接する当接部である。
【００５１】
また、ベース収容凹部３４の左側突条部４０及び右側突条部４１よりも後側には、左側板部４２及び右側板部４３が設けられている。左側板部４２及び右側板部４３は、ベース収容凹部３４の底壁から上方へ突出して後方へ延び、後壁部３４ｃと連続している。左側板部４２及び右側板部４３の突出高さは左側突条部４０及び右側突条部４１の高さと略同じに設定されているので、左側板部４２及び右側板部４３は、ベース２におけるフロントガラスＧの固定面Ｇ１側とは反対側の面に当接する当接部となる。左側板部４２の前側には、前端へ行くほど下に位置するように傾斜した傾斜面４２ａが形成されている。右側板部４３の前側には、前端へ行くほど下に位置するように傾斜した傾斜面４３ａが形成されている。
【００５２】
ベース収容凹部３４の左右方向中央部には、ベース２の前側（挿入方向基端側）に嵌合して該ベース２がベース収容凹部３４の前側から抜けるのを阻止するための嵌合部４４が設けられている。嵌合部４４は、弾性変形部４４ａと嵌合爪部４４ｂとを備えている。弾性変形部４４ａは、ベース収容凹部３４の内面から突出して前方へ延びる板状に形成されており、全体が可とう性を有し、上下方向に撓み変形可能となっている。嵌合爪部４４ｂは、弾性変形部４４ａの先端側から上方へ突出するように該弾性変形部４４ａに一体成形されており、図４に示すように、ベース収容凹部３４に収容されたベース２の前側垂直面２ａに対して前方から嵌合するように形成されている。
【００５３】
また、ベース収容凹部３４の底壁には、係合孔４５が形成されている。図４に示すように、ステー３０の本体部３２の前側には、本体部３２の前側開放部を覆うためのカバー４６が取り付けられており、このカバー４６に設けられた係合爪４６ａが係合孔４５に係合するようになっている。
【００５４】
図３に示すように、湾曲板部３３は、ステー３０の本体部３２から後方へ向かって徐々に拡径するように形成されており、外面が球面とされている。図４に示すように、湾曲板部３３の基端側の外径は、ハウジング２０の円形開口部２０ｂの径よりも小さく、湾曲板部３３の先端側の外径は、ハウジング２０の円形開口部２０ｂの径よりも大きく設定されている。湾曲板部３３は、ハウジング２０の円形開口部２０ｂに挿入された状態で組み付けられており、この組み付け状態では、湾曲板部３３の先端側の外面が円形開口部２０ｂの内周面に対してハウジング２０内側から当接している。尚、ステー３０の取付部３１はハウジング２０の円形開口部２０ｂよりも小さな外形を有しており、組み付け時には、ハウジング２０の開放側からステー３０の取付部３１を円形開口部２０ｂに挿通して外部に引き出すようにすればよい。
【００５５】
ステー３０の本体部３２には、ピボット軸２３の固定軸部２３ａが挿入される。図３に示すように、ステー３０の本体部３２における後端部近傍には、固定軸部２３ａに設けられた係合凸部２３ｃが係合する開口部３２ａが形成されている。ピボット軸２３の固定軸部２３ａをステー３０の本体部３２に挿入すると、係合凸部２３ｃが開口部３２ａに係合して固定軸部２３ａが本体部３２に固定される。この状態で、ピボット軸２３の大径部２３ｂが傾動部材２４の内筒部２４ａに挿入されて内筒部２４ａの前側から抜けなくなっているので、傾動部材２４がピボット軸２３によって前側へ付勢される。そして、この傾動部材２４はミラーホルダー１０に固定されているので、ミラーホルダー１０が前方へ付勢されてステー３０に取り付けられる。
【００５６】
ミラー３の角度調整をする場合には、乗員が例えばミラーハウジング１０を持って上下や左右方向に傾動させる。ミラーハウジング１０は、ピボット軸２３の大径部２３ｂの外面周りに傾動し、このとき、ピボット軸２３の大径部２３ｂの外面と、傾動部材２４の内筒部２４ａの湾曲面２４ｂとが摺動するとともに、傾動部材２４の外筒部２４ｃの摺接面２４ｄと湾曲板部３３の内面とが摺動し、さらに、湾曲板部３３の外面がハウジング２０の円形開口部２０ｂの内面に摺接する。このように複数箇所を摺動させているので、摺動抵抗が大きくなり、車両振動等によってミラー３の角度が不意に変化するのを抑制することができる。
【００５７】
尚、ミラー３の角度調整を行う際に発生する各部の摺動抵抗の大きさは、ピボット軸２３の大径部２３ｂの前後方向の位置を変えることによって変化させることができる。ピボット軸２３の大径部２３ｂを前に移動させるほど各部の摺動抵抗が大きくなる一方、後へ移動させるほど各部の摺動抵抗が小さくなる。
【００５８】
次に、上記のように構成された車両用ルームミラー１を車両に取り付ける際の要領について説明する。初めに、ベース２をフロントガラスＧの固定面Ｇ１に固定しておく。また、ミラー３を貼り付けたミラーホルダー１０をハウジング２０に組み付けるとともに、ステー３０も組み付けておく。
【００５９】
その後、ステー３０のベース収容凹部３４にベース２を収容することによってステー３０の取付部３１をベース２に取り付ける。すなわち、ベース２の後方にステー３０のベース収容凹部３４を配置し、ベース２をその後側からベース収容凹部３４に収容していく。このとき、ベース２が左側突条部４０及び右側突条部４１の傾斜面４０ａ及び傾斜面４１ａに摺接しながらベース収容凹部３４に挿入されていき、左側突条部４０及び右側突条部４１の上方にベース２が位置するようになる。これと同時に、嵌合部４４の嵌合爪部４４ｂがベース２の下面によって下方へ押圧されて弾性変形部４４ａが下方へ撓み変形する。
【００６０】
また同時に、左側前部係合爪３５及び左側後部係合爪３６と、右側前部係合爪３７及び右側後部係合爪３８の間にベース２が挿入されていく。左側前部係合爪３５及び左側後部係合爪３６の係合面３５ａ、３６ａがベース２の左側平坦面２ｂに摺接し、また、右側前部係合爪３７及び右側後部係合爪３８の係合面３７ａ、３８ａが、ベース２の右側平坦面２ｃに摺接する。
【００６１】
ベース２をベース収容凹部３４にさらに深く挿入すると、ベース収容凹部３４の後壁部３４ｃにベース２の後側垂直面２ｄが当接してそれ以上深く挿入されるのが阻止されるとともに、嵌合部４４の嵌合爪部４４ｂがベース２の前側垂直面２ａよりも前に位置して弾性変形部４４ａの形状が復元し、嵌合爪部４４ｂがベース２の前側垂直面２ａに係合する（図４に示す）。
【００６２】
そして、左側前部係合爪３５及び左側後部係合爪３６の係合面３５ａ、３６ａが、ベース２の左側平坦面２ｂに接触して係合し、また、右側前部係合爪３７及び右側後部係合爪３８の係合面３７ａ、３８ａが、ベース２の右側平坦面２ｃに摺接して係合する。これにより、車両用ルームミラー１が車両に取り付けられた状態となる。取付状態では、互いに間隔をあけて配置された左側前部係合爪３５、左側後部係合爪３６、右側前部係合爪３７及び右側後部係合爪３８がベース２にそれぞれ係合しているので、ステー３０が安定する。
【００６３】
一方、例えば車両が急減速等して乗員がミラー３やミラーホルダー１０に接触した場合には、所定以上の外力がステー３０に作用することになる。ここで、所定未満の外力とは、例えば乗員がミラー３の角度調整を行う際に作用する外力や、車両が走行中に振動することによって作用する外力のことであり、所定以上の外力とは、上述した以外にも、例えば正面衝突によって乗員がミラー３やミラーホルダー１０に接触したときにステー３０に作用する外力である。所定以上の外力が作用すると、その外力が作用する方向にもよって異なるが、左側前部係合爪３５、左側後部係合爪３６、右側前部係合爪３７及び右側後部係合爪３８の少なくとも１つが破損するとともに、ステー３０が外力の作用した方向へ押され、これにより、ベース２からステー３０が脱落する。尚、左側前部係合爪３５、左側後部係合爪３６、右側前部係合爪３７及び右側後部係合爪３８が破損する際にベース２は破損しないように各部の強度が設定されている。
【００６４】
所定以上の外力は、例えば左側や右側からだけでなく、上側や下側、真後ろからも作用することがある。この実施形態では、左側前部係合爪３５及び左側後部係合爪３６の間隔と、右側前部係合爪３７及び右側後部係合爪３８の間隔とは略等しく設定されているので、どの方向の外力であっても、同じような力でステー３０を脱落させることができる。
【００６５】
したがって、上記車両用ルームミラー１によれば、様々な方向から外力が作用した場合に同じように脱落させることができる。また、左側前部係合爪３５、左側後部係合爪３６、右側前部係合爪３７及び右側後部係合爪３８をステー３０に一体成形しているので、部品点数及び組立工数を削減できる。
【００６６】
また、ミラー３の周縁部を囲むように形成された外郭部１２を透明樹脂材で構成したので、ミラー３の周縁部を樹脂材で覆って安全性を高めることができるとともに、透明な外郭部１２を利用して低コストでデザイン性を向上させることができる。
【００６７】
また、ミラー３の周縁部がハウジング２０の外方へ突出しているので、銀色の部材を別途設けることなく、ハウジング２０の外方に銀色の細い枠を形成することができ、デザイン性をより一層向上させることができる。
【００６８】
また、ベース２の左右両縁部を直線状に延びる左側平坦面２ｂ及び右側平坦面２ｃで構成し、左側前部係合爪３５、左側後部係合爪３６、右側前部係合爪３７及び右側後部係合爪３８を左側平坦面２ｂ及び右側平坦面２ｃに係合させるようにしたので、ステー３０をベース２に対して直線状に移動させて取り付けることができ、ステー３０の取付作業性を良好にすることができる。
【００６９】
また、ベース２の左側平坦面２ｂ及び右側平坦面２ｃがフロントガラスＧの固定面Ｇ１に近づくほど互いに接近するように傾斜し、左側前部係合爪３５、左側後部係合爪３６、右側前部係合爪３７及び右側後部係合爪３８の係合面３５ａ、３６ａ、３７ａ、３８ａがベース２の左側平坦面２ｂ及び右側平坦面２ｃに沿うように形成されて該平坦面２ｂ、２ｃに接触して係合するようになっているので、ステー３０をベース２に確実に取り付けることができる。
【００７０】
また、ステー３０の取付部３１に、ベース２に対してフロントガラスＧの固定面Ｇ１とは反対側から当接する左側突条部４０及び右側突条部４１を設けたので、ステー３０をベース２に安定して取り付けることができる。
【００７１】
また、ステー３０の取付部３１にベース収容凹部３４を形成し、ベース収容凹部３４に、ベース２の挿入を停止させるための後壁部３４ｃと、ベース２がベース収容凹部３４から抜けるのを阻止する嵌合部４４とを設けたので、ベース２をベース収容凹部内３４の所定位置に保持することができる。
【００７２】
また、嵌合部４４が可とう性を有する弾性変形部４４ａと嵌合爪部４４ｂとを備えているので、ベース２をベース収容凹部３４に簡単に収容することができるとともに、挿入後には嵌合爪部４４ｂをベース２の挿入方向基端側に確実に嵌合させてベース２がベース収容凹部３４から抜けるのを阻止できる。
【００７３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７４】
以上説明したように、本発明に係る車両用ルームミラーは、例えば自動車のフロントガラスの内面に取り付けて使用することができる。
【符号の説明】
【００７５】
１              車両用ルームミラー
２              ベース
２ｂ            左側平坦面
２ｃ            右側平坦面
３              ミラー
１０            ミラーホルダー
１１            ミラー固定板部
１２            外郭部
１３            上側凹部
１３ａ          開口部
１４            下側凹部
１４ａ          開口部
２０            ハウジング
２１            上側係合爪部
２２            下側係合爪部
３０            ステー
３４ｃ          後壁部（ストッパー）
３４            ベース収容凹部
３５            左側前部係合爪（第１係合爪）
３５ａ          係合面
３６            左側後部係合爪（第２係合爪）
３６ａ          係合面
３７            右側前部係合爪（第３係合爪）
３７ａ          係合面
３８            右側後部係合爪（第４係合爪）
３８ａ          係合面
４０            左側突条部（当接部）
４１            右側突条部（当接部）
４２            左側板部（当接部）
４３            右側板部（当接部）
４４            嵌合部
４４ａ          弾性変形部
４４ｂ          嵌合爪部
Ｇ              フロントガラス
Ｇ１            固定面
【図１】
0006506043.tif 000002
【図２】
0006506043.tif 000003
【図３】
0006506043.tif 000004
【図４】
0006506043.tif 000005
【図５】
0006506043.tif 000006
【図６】
0006506043.tif 000007
【図７】
0006506043.tif 000008
【図８】
0006506043.tif 000009